(57)【要約】【課題】コストを抑えつつ誘導発電機の始動時に発生する始動電流を抑えることが可能な発電装置、及び発電方法を提供することを課題とする。【解決手段】本発明は、誘導発電機２２と、誘導発電機２２と所定の周波数の交流電流が流れる電路５０とを接続する接続電路５２の開閉を行う開閉器２６と、開閉器２６の開閉を制御する制御部３４１と、作動媒体が供給されることにより誘導発電機２２を回転駆動する膨張機１６と、を備え、制御部３４１は、作動媒体が供給されて膨張機１６が誘導発電機２２を回転駆動し始めた後に開閉器２６を閉じることを特徴とする。【選択図】図２
2014171350.tif 000002
【特許請求の範囲】
【請求項１】
誘導発電機と、
前記誘導発電機と所定の周波数の交流電流が流れる電路とを接続する接続電路の開閉を行う開閉器と、
前記開閉器の開閉を制御する制御部と、
作動媒体が供給されることにより前記誘導発電機を回転駆動する膨張機と、を備え、
前記制御部は、前記作動媒体が供給されて前記膨張機が前記誘導発電機を回転駆動し始めた後に前記開閉器を閉じる制御を行う、ことを特徴とする発電装置。
【請求項２】
前記誘導発電機の回転数を検出する回転数検出器を備え、
前記制御部は、前記回転数検出器の回転数に基づいて前記開閉器を閉じる制御を行う、請求項１に記載の発電装置。
【請求項３】
作動媒体が流通し、前記膨張機が配置される循環流路と、
前記循環流路における前記膨張機の上流側に配置され、外部から供給される加熱媒体によって前記作動媒体を蒸発させる蒸発器と、
前記循環流路における前記膨張機の下流側に配置され、前記膨張機から排出された前記作動媒体を外部から供給される冷却媒体によって凝縮させる凝縮器と、
前記循環流路における前記凝縮器と前記蒸発器との間に配置され、前記凝縮器で凝縮された前記作動媒体を前記蒸発器に供給するポンプと、を備える、請求項２に記載の発電装置。
【請求項４】
前記制御部は、前記膨張機が前記誘導発電機を回転駆動し始めてから前記開閉器を閉じるまでの間、前記蒸発器への前記作動媒体の供給量を徐々に増大させるように前記ポンプを制御する、請求項３に記載の発電装置。
【請求項５】
膨張機に接続された誘導発電機を用いた発電方法であって、
前記膨張機に作動媒体を供給する作動媒体供給工程と、
前記誘導発電機と所定の周波数の交流電流が流れる電路とを接続する接続電路の開閉を行う電路開閉工程と、を備え、
前記電路開閉工程では、前記作動媒体供給工程において前記作動媒体が供給されて前記膨張機が前記誘導発電機を回転駆動し始めた後に前記接続電路を閉じる、ことを特徴とする誘導発電機を用いた発電方法。
【発明の詳細な説明】
【技術分野】
【０００１】
本発明は、誘導発電機を備えた発電装置、及び誘導発電機を用いた発電方法に関する。
【背景技術】
【０００２】
従来から、同期発電機を用いた発電装置が種々知られている。例えば、特許文献１は、上水道配管系に設置された水車と、この水車によって回転駆動される同期発電機と、同期発電機の出力を変換して系統に供給する電力変換装置と、を備えた発電装置を開示する。この発電装置に用いられている同期発電機は、二次巻線に励磁電流を流すための電圧調整器等が必要であるため、構造が複雑で発電機自体が大きく、且つ高価である。
【０００３】
そこで、例えば、特許文献２が開示するような、構造が簡易で安価な誘導発電機を用いた発電装置が提案されている。この発電装置は、水車と、この水車によって回転駆動される誘導発電機と、誘導発電機に接続されるインバータと、を備える。この誘導発電機は、系統電源等から励磁電流を得ることによって発電することができる。また、インバータは、系統電源等から誘導発電機に供給される交流電流（励磁電流）の周波数を調整する。
【０００４】
このような発電装置では、始動時に、即ち、水車が回転し始めると、誘導発電機の回転数の増大に伴ってインバータにより誘導発電機に供給される励磁電流の周波数を徐々に大きくする。そして、同期速度（回転磁界の回転速度）よりも回転子の回転数が大きくなると、誘導発電機から当該誘導発電機に接続された系統に電力（電流）が供給される。
【先行技術文献】
【特許文献】
【０００５】
【特許文献１】特開２００２−１５５８４６号公報
【特許文献２】特開２００７−２８６９７号公報
【発明の概要】
【発明が解決しようとする課題】
【０００６】
誘導発電機は、始動時に、系統に流れている電流を励磁電流としてそのまま流入させると、無電圧状態で系統と並列となるため、瞬間的に、系統から誘導発電機に定格電流よりも大きな（例えば、定格電流の５〜８倍の）過電流（始動電流、突入電流）が流入する。このため、上述の誘導発電機を用いた発電装置では、インバータが設けられ、このインバータが、発電装置の起動時に、誘導発電機の回転数の上昇に合わせて系統から流入する電流（励磁電流）の周波数が徐々に大きくなるように調整している。このように、誘導発電機を備えた発電装置では、始動電流を抑えるための装置（インバータ等）が設けられているため、コストが増大してしまう。
【０００７】
そこで、本発明は、上記問題に鑑み、コストを抑えつつ誘導発電機の始動時に発生する始動電流を抑えることが可能な発電装置、及び発電方法を提供することを目的とする。
【課題を解決するための手段】
【０００８】
上記課題を解消すべく、本発明の一態様である発電装置は、誘導発電機と、前記誘導発電機と所定の周波数の交流電流が流れる電路とを接続する接続電路の開閉を行う開閉器と、前記開閉器の開閉を制御する制御部と、作動媒体が供給されることにより前記誘導発電機を回転駆動させる膨張機と、を備える。そして、前記制御部は、前記作動媒体が供給されて前記膨張機が前記誘導発電機を回転駆動し始めた後に前記開閉器を閉じる制御を行う。
【０００９】
また、本発明の他の一態様である発電方法は、膨張機に接続された誘導発電機を用いた発電方法であって、前記膨張機に作動媒体を供給する作動媒体供給工程と、前記誘導発電機と所定の周波数の交流電流が流れる電路とを接続する接続電路の開閉を行う電路開閉工程と、を備える。そして、前記電路開閉工程では、前記作動媒体供給工程において前記作動媒体が供給されて前記膨張機が前記誘導発電機を回転駆動し始めた後に前記接続電路を閉じる。
【００１０】
これらの構成によれば、誘導発電機が励磁電流の供給を受けるために誘導発電機と電路とが接続された時点における誘導発電機の回転数（回転周波数）と、電路から誘導発電機に流入する交流電流の周波数との差（いわゆる、すべり）を、膨張機が誘導発電機を回転駆動していない状態で誘導発電機と電路とが接続された場合に比べて小さくすることができ、これにより、インバータ等の始動電流を抑えるための装置を設けなくても、発電装置の始動時において、誘導発電機と電路との接続時に電路から誘導発電機に流入する始動電流（誘導発電機の回転周波数と電路から流入する交流電流の周波数との差に起因する過電流）を抑えることができる。
【００１１】
本発明に係る発電装置においては、前記誘導発電機の回転数を検出する回転数検出器を備え、前記制御部が、前記回転数検出器の回転数に基づいて前記開閉器を閉じる制御を行うことが好ましい。
【００１２】
かかる構成によれば、検出された誘導発電機の回転数に基づいて誘導発電機と電路とが接続されるため、誘導発電機と電路とが接続された時点において、膨張機によって誘導発電機が確実に回転駆動されている（即ち、誘導発電機の回転子が確実に回転している）。このため、誘導発電機が停止している状態で誘導発電機と電路とが接続された場合に比べ、回転周波数と交流電流の周波数との差を確実に小さくすることができ、その結果、電路との接続時に電路から誘導発電機に流入する始動電流を確実に抑えることができる。
【００１３】
前記発電装置は、いわゆるバイナリ発電装置であってもよい。即ち、前記発電装置は、作動媒体が流通し、前記膨張機が配置される循環流路と、前記循環流路における前記膨張機の上流側に配置され、外部から供給される加熱媒体によって前記作動媒体を蒸発させる蒸発器と、前記循環流路における前記膨張機の下流側に配置され、前記膨張機から排出された前記作動媒体を外部から供給される冷却媒体によって凝縮させる凝縮器と、前記循環流路における前記凝縮器と前記蒸発器との間に配置され、前記凝縮器で凝縮された前記作動媒体を前記蒸発器に供給するポンプと、を備えてもよい。
【００１４】
また、前記発電装置では、前記制御部は、前記膨張機が前記誘導発電機を回転駆動し始めてから前記開閉器を閉じるまでの間、前記蒸発器への前記作動媒体の供給量を徐々に増大させるように前記ポンプを制御してもよい。
【００１５】
かかる構成によれば、蒸発器への作動媒体の供給量が徐々にしか増大しないため、膨張機に供給される作動媒体（気化した作動媒体）の供給量が急激に増大して誘導発電機の回転数が急上昇することを防ぐことができる。
【発明の効果】
【００１６】
以上より、本発明によれば、コストを抑えつつ誘導発電機の始動時に発生する始動電流を抑えることが可能な発電装置、及び発電方法を提供することができる。
【図面の簡単な説明】
【００１７】
【図１】本実施形態に係る発電装置の概略構成図である。
【図２】誘導発電機におけるすべりの大きさと前記誘導発電機に流入する始動電流の大きさとの関係を示す図である。
【図３】前記発電装置の発電動作を説明するためのフローチャートである。
【図４】他実施形態に係る発電装置の概略構成図である。
【図５】他実施形態に係る発電装置の概略構成図である。
【発明を実施するための形態】
【００１８】
以下、本発明の一実施形態について、図１及び図２を参照しつつ説明する。図１は、本実施形態に係る発電装置の概略構成図であり、図２は、誘導発電機におけるすべりの大きさと前記誘導発電機に流入する始動電流の大きさとの関係を示す図である。図３は、前記発電装置の発電動作を説明するためのフローチャートである。
【００１９】
本実施形態に係る発電装置は、図１に示されるように、いわゆるバイナリ発電装置（オーガニックランキンサイクル方式の発電装置）であり、誘導発電機を用いて発電する。
【００２０】
発電装置１０は、作動媒体（作動流体）が循環する循環流路１２と、蒸発器１４と、膨張機１６と、凝縮器１８と、循環用ポンプ２０と、を備える。これら蒸発器１４、膨張機１６、凝縮器１８、及び循環用ポンプ２０は、循環流路１２に配置されている。また、発電装置１０は、膨張機１６に接続されている誘導発電機２２と、誘導発電機２２の回転数（回転周波数）を検出する回転数検出器２４と、誘導発電機２２と電力系統（電路）５０とを接続する接続電路５２に配置される開閉器２６と、発電装置１０の制御を行うコントローラ３０と、を備える。
【００２１】
尚、本実施形態の発電装置１０では、作動媒体として、例えば、Ｒ２４５ｆａ等の水よりも沸点の低い低沸点有機媒体が用いられているが、これに限定される必要はない。また、発電装置１０が接続されている電力系統５０には、商用周波数（５０Ｈｚ又は６０Ｈｚ）の交流電流が流れている。
【００２２】
蒸発器１４は、装置外部の熱源から供給される加熱媒体（例えば、坑井から採取される蒸気やボイラで製造した蒸気、温水等）と、循環流路１２を流れる作動媒体とを熱交換させ、これにより作動媒体を加熱して蒸発（気化）させる。
【００２３】
膨張機１６は、循環流路１２における蒸発器１４の下流側に配置されている。膨張機１６は、蒸発器１４で蒸発（気化）した作動媒体により駆動され、回転動力が外部に出力される。本実施形態の膨張機１６は、例えば、スクリュー式膨張機である。膨張機１６の回転駆動軸１６ａには、誘導発電機２２（詳しくは、誘導発電機２２の回転軸２２ａ）が接続（連結）されており、回転駆動軸１６ａが回転することによって誘導発電機２２が発電する。尚、膨張機１６は、スクリュー式に限定されず、タービン式やスクロール式等の他の方式の膨張機であってもよい。
【００２４】
凝縮器１８は、循環流路１２における膨張機１６の下流側に配置されている。凝縮器１８は、装置外部の冷却源から供給される冷却媒体（例えば、河川やクーリングタワーから供給される冷却水）と作動媒体とを熱交換させ、これにより作動媒体を冷却して凝縮させる。
【００２５】
循環用ポンプ２０は、循環流路１２における凝縮器１８の下流側で且つ蒸発器１４の上流側に配置されている。循環用ポンプ２０は、凝縮器１８で凝縮されて液体となった作動媒体を所定の圧力まで加圧して蒸発器１４に向けて送り出す。循環用ポンプ２０は、コントローラ３０に接続され、コントローラ３０からの回転制御信号によって回転数が調整されることにより、作動媒体の吐出量が調整される。
【００２６】
誘導発電機２２は、商用電源に接続される（即ち、商用周波数の交流電力が流れる）電力系統５０と接続電路５２を介して接続され、電力系統５０を流れる電力と同じ周波数の交流電流を発電して電力を商用電源側に供給する。誘導発電機２２は、一次巻線を有する固定子（図示省略）と、二次巻線を有する回転子（図示省略）と、回転子に外部からの回転動力を伝達可能な回転軸２２ａと、を備える。本実施形態の誘導発電機２２では、固定子の一次巻線が接続電路５２を介して電力系統５０に接続され、回転軸２２ａが膨張機１６の回転駆動軸１６ａと接続（連結）されている。この誘導発電機２２には、固定子の一次巻線が励磁電流として電力系統５０を流れる交流電流が供給された状態で、回転子が同期速度よりも大きな回転速度で回転する、換言すれば、励磁電流（本実施形態では電力系統５０を流れる交流電流）の周波数よりも大きな回転周波数で回転することによって発電し、この発電した電力を電力系統５０に出力する。
【００２７】
回転数検出器２４は、誘導発電機２２の回転軸２２ａ（又は回転子）の回転数（又は回転周波数）を検出し、検出した回転数に応じた回転検出信号を出力する。本実施形態の回転数検出器２４は、コントローラ３０に接続され、回転検出信号をコントローラ３０に出力する。回転数検出器２４は、誘導発電機２２の回転軸２２ａ等にその一部を接触させた（若しくは接続された）状態で当該回転軸２２ａ等の回転数を検出する接触式の検出器でもよく、また、回転軸２２ａ等と非接触状態で当該回転軸２２ａ等の回転数を検出する非接触式の検出器であってもよい。
【００２８】
開閉器２６は、誘導発電機２２と電力系統５０とを接続する接続電路５２に設けられている。開閉器２６は、コントローラ３０からの開閉信号に基づいて接続電路５２の開閉を行う。この開閉器２６は、誘導発電機２２の停止時には開いている。本実施形態の開閉器２６は、例えば、電磁開閉器であるが、これに限定されない。
【００２９】
コントローラ３０は、例えばキーボードやマウス等で構成される入力部３２と、入力部３２からの入力信号に基づいて、発電装置１０の各部を制御するための信号や演算結果等を出力する演算制御部３４と、表示装置やプリンタ等の印刷装置等で構成され、演算制御部３４からの出力に応じて所定の表示等を行う出力部３６と、を有する。
【００３０】
演算制御部３４は、発電を行うべく、発電装置１０の各部を当該各部の機能に応じてそれぞれ制御する。この演算制御部３４は、例えば、ＣＰＵ（Central Processing Unit）、このＣＰＵによって実行される種々のプログラムやその実行に必要なデータ等を予め記憶するＲＯＭ（Read Only Memory）やＥＥＰＲＯＭ（Electrically Erasable Programmable Read Only Memory）等の不揮発性記憶素子、このＣＰＵのいわゆるワーキングメモリとなるＲＡＭ（Random Access Memory）等の揮発性記憶素子およびその周辺回路等を備えたマイクロコンピュータによって構成される。
【００３１】
このように構成される演算制御部３４には、当該演算制御部３４がプログラムを実行することによって、機能的に、開閉制御部（制御部）３４１と、吐出量制御部３４２と、が構成される。
【００３２】
開閉制御部３４１は、開閉信号を出力して開閉器２６の開閉動作を制御することによって接続電路５２の開閉を行う。例えば、開閉制御部３４１が開閉器２６を閉じると、電力系統５０を流れる電力（商用周波数の交流電流）が励磁電流として誘導発電機２２に供給され、誘導発電機２２が発電可能となる。一方、開閉制御部３４１が開閉器２６を開くと、励磁電流が誘導発電機２２へ供給されなくなって誘導発電機２２での発電が停止すると共に、誘導発電機２２からの電力系統５０への電力の供給が停止する。
【００３３】
また、開閉制御部３４１は、発電装置１０の始動時（起動時）に、膨張機１６が誘導発電機２２を回転駆動し始めた後に開閉器２６を閉じる制御を行う。具体的には、以下の通りである。
【００３４】
発電装置１０が始動（起動）すると、気化した作動媒体が循環流路１２を通じて膨張機１６に供給され始める。そして、膨張機１６に供給される作動媒体の流量が徐々に増大し、これに伴って膨張機１６によって回転駆動される誘導発電機２２の回転数（回転周波数）も徐々に上昇する。このとき、開閉制御部３４１は、回転数検出器２４によって検出された回転軸２２ａ（又は回転子）の回転数が設定値を超えた時点で開閉器２６を閉じる。本実施形態の設定値は、例えば、１０００ｒｐｍである。開閉器２６が閉じると、誘導発電機２２と電力系統５０とが接続電路５２を介して電気的に接続され、電力系統５０を流れる交流電流が励磁電流として誘導発電機２２に供給される。そして、膨張機１６によって回転駆動された誘導発電機２２の回転子の回転速度が同期速度以上になると、誘導発電機２２は発電を開始する。
【００３５】
この設定値（即ち、開閉器２６を閉じるときの誘導発電機２２の回転数）は、開閉器２６が閉じて電力系統５０から誘導発電機２２に始動電流が流入したことによる電力系統５０の電圧降下に起因した発電装置１０の各電子部品や接続電路５２周辺に設けられた（接続され）機器等への影響を抑えることができるように設定されている。詳しくは、以下の通りである。
【００３６】
誘導発電機２２（回転子）が停止した状態、即ち、同期速度と誘導発電機２２の回転速度との差であるすべりの割合が１００％の状態で電力系統５０に接続されると、電力系統５０に対して無電圧で強制並列となるため、大きな始動電流が誘導発電機２２に流入する。これにより、電力系統５０において電圧降下が生じる。
【００３７】
始動電流は、図２に示されるように、すべりの割合が小さくなる程、即ち、同期速度と誘導発電機２２の回転速度との差が小さくなる程、減少する（定格電流に近くなる）。そこで、本実施形態の発電装置１０では、誘導発電機２２への始動電流の流入によって電力系統５０に電圧降下が起きたときに、この電圧降下が発電装置１０の各電子部品や電力系統５０に接続されている機器に影響がない若しくは影響が許容できる程度となるような始動電流の値を特定する。そして、始動電流がこの特定した値よりも小さくなるすべりの割合の範囲を求め、すべりがこの範囲内となるような誘導発電機の回転数を設定値として用いる。
【００３８】
吐出量制御部３４２は、回転制御信号を出力して循環用ポンプ２０の回転数を制御することによって循環用ポンプ２０から吐出される作動媒体の流量を調整する。発電装置１０の通常の運転時（発電時）においては、作動媒体が循環流路１２を一定の流量で循環するように、吐出量制御部３４２が循環用ポンプ２０の回転数（吐出量）を制御する。
【００３９】
また、吐出量制御部３４２は、発電装置１０の始動時（起動時）における膨張機１６が誘導発電機２２を回転駆動し始めてから開閉器２６が閉じるまでの間、即ち、回転数検出器２４によって誘導発電機２２の回転を検出し始めてからその回転数が設定値に到達するまでの間、誘導発電機２２の回転数の上昇に合わせて蒸発器１４への作動媒体の吐出量が徐々に増大するように循環用ポンプ２０の回転数を制御する。
【００４０】
このような発電装置１０では、以下のようにして発電を開始する。
【００４１】
先ず、開閉器２６が開いた状態で、装置外部の熱源からの加熱媒体が蒸発器１４に供給されると共に、装置外部の冷却源からの冷却媒体が凝縮器１８に供給される。この状態で、吐出量制御部３４２が循環用ポンプ２０を作動させて作動媒体を循環させ始める（ステップＳ１）。これにより、蒸発器１４で気化した作動媒体が膨張機１６に供給されて、膨張機１６が誘導発電機２２を回転駆動し始める。そして、吐出量制御部３４２は、開閉器２６が閉じられるまでの間、膨張機１６（誘導発電機２２）の回転数の上昇に合わせて、即ち、循環流路１２における作動媒体の流量に応じて循環用ポンプ２０の回転数を徐々に上げ、蒸発器１４への作動媒体の供給量を徐々に増大させる。
【００４２】
循環流路１２において作動媒体の流量が増大するのに伴って、膨張機１６に供給される作動媒体の流量が増大するため、膨張機１６によって回転駆動される誘導発電機２２の回転数も徐々に上昇する。そして、誘導発電機２２の回転数が設定値（本実施形態の例では１０００ｒｐｍ）まで上昇し、これを開閉制御部３４１が回転数検出器２４によって検出すると、開閉器２６を閉じて電力系統５０と誘導発電機２２とを接続する（ステップＳ２）。これにより、電力系統５０を流れる交流電流が励磁電流として誘導発電機２２に供給される。このとき、同期速度に対する誘導発電機２２のすべりが、誘導発電機２２の回転子が停止している状態で誘導発電機２２と電力系統５０とを接続した場合に比べて小さいため、このすべりに起因する始動電流が抑えられる。また、電力系統５０の電圧降下も抑えられる。
【００４３】
そして、誘導発電機２２の回転速度が同期速度よりも大きくなると誘導発電機２２が発電し始め、これにより、発電装置１０（誘導発電機２２）から電力系統５０に電力が供給され始める（ステップＳ３）。
【００４４】
一方、発電装置１０が発電を停止するときには、開閉器２６を開くと共に、循環用ポンプ２０を停止させる。そして、蒸発器１４への熱源からの加熱媒体の供給と、凝縮器１８への冷却源からの冷却媒体の供給とを停止することにより、発電装置１０による発電が停止する。
【００４５】
以上、本実施形態に係る発電装置１０の構造及び動作について説明したが、誘導発電機２２と電力系統５０とが接続された時点における誘導発電機２２の回転速度と同期速度との差を小さくすることにより、電力系統５０から誘導発電機２２に流入する始動電流を抑えることができる。インバータ等を介することなく、電力系統５０と誘導発電機２２とを接続する、いわゆる、直入れ方式とすることにより、発電装置１０の製造コストを低減することができる。
【００４６】
また、開閉器２６の開閉を発電機の回転数に基づいて行うことにより、開閉制御部３４１が回転数検出器２４の検出値を利用することができる。その結果、開閉器２６の開閉のために別途計器を設けることが不要となり、発電装置１０のコストをより低減することができる。
【００４７】
また、本実施形態の発電装置１０では、始動時に、膨張機１６が誘導発電機２２を回転駆動し始めてから開閉器２６が閉じるまでの間、蒸発器１４への作動媒体の供給量が徐々に増大するように循環用ポンプ２０が制御される。このため、発電装置１０の始動時では、蒸発器１４への作動媒体の吐出量が抑えられ、膨張機１６に作動媒体が急激に供給されることによる誘導発電機２２の過回転を防ぐことができる。
【００４８】
尚、本発明の発電装置及び発電方法は、上記実施形態に限定されるものではなく、本発明の要旨を逸脱しない範囲内において種々変更を加え得ることは勿論である。
【００４９】
開閉器２６を閉じるタイミングの具体的な指標は限定されない。上記実施形態の発電装置１０では、誘導発電機２２の回転数を指標に開閉器２６を閉じているが、例えば、すべりに基づいて開閉器２６を制御してもよい。この場合、設定値は、０％以上且つ１０％以下、より好ましくは２％以上且つ５％以下の範囲に設定される。また、循環流路１２における膨張機１６の上流側圧力を指標にしてもよく、前記上流側圧力と膨張機１６の下流側圧力との圧力差（若しくは圧力比）を指標にしてもよい。また、膨張機１６に流入する作動媒体の温度と、膨張機１６から排出される作動媒体の温度との温度差（若しくは温度比）等を指標にしてもよい。また、発電装置１０の始動時からの時間を指標にしてもよい。即ち、発電装置１０は、作動媒体が循環流路１２を循環し始めてから所定時間経過後に開閉器２６が閉じるように構成されてもよい。いずれの場合も、すべりが所定範囲内となる条件を予め求めておいて、その条件が成立したときに開閉器２６を閉じる。
【００５０】
上記実施形態の循環流路１２は、蒸発器１４において蒸発した（気化された）作動媒体が膨張機１６に全て流れ込むように構成されているが、例えば、循環流路１２は、図４に示されるように、膨張機１６の上流側の部位と、膨張機１６の下流側の部位とを繋ぐバイパス流路が設けられてもよい。
【００５１】
この場合、第１の開閉弁４１がバイパス流路４０の上流側端部と膨張機１６との間に設けられ、第２の開閉弁４２がバイパス流路４０に設けられる。このようなバイパス流路４０を設けることで、作動媒体が膨張機１６を通らない状態で循環流路１２を循環させることが可能となる。これにより、発電装置１０Ａの始動時に、第１の開閉弁４１を閉じると共に第２の開閉弁４２を開き、膨張機１６を通らないように作動媒体を循環させることで、作動媒体に含まれる潤滑油を暖めることができる。
【００５２】
また、発電装置１０Ａの停止時において、バイパス流路４０が設けられていないと、循環用ポンプ２０を止めても蒸発器１４の内部及び蒸発器１４から膨張機１６までの循環流路１２の部位内に残っている作動媒体が膨張機１６に流入するため、膨張機１６（誘導発電機２２）を直ぐに止めることができない。しかし、図４に示す発電装置１０Ａ（循環流路１２にバイパス流路４０が設けられた発電装置１０Ａ）では、第１開閉弁４１を閉じると共に第２開閉弁４２を開くことで、前記残っていた作動媒体がバイパス流路４０を流れ、これにより、当該作動媒体が膨張機１６に流入するのを防ぐことができるため、循環用ポンプ２０を停止すれば、膨張機１６（誘導発電機２２）を直ぐに停止させることができる。
【００５３】
また、上記実施形態の発電装置１０はいわゆるバイナリ発電装置であるが、この構成に限定されない。例えば、図５に示されるように、発電装置１０Ｂは、熱源から供給される蒸気等の作動媒体を膨張機１６に直接流入させる構成であってもよい。このような構成であっても、発電装置１０Ｂの始動時において、膨張機１６が誘導発電機２２を回転駆動させて誘導発電機２２の回転数が設定値よりも大きくなったときに、開閉制御部３４１が開閉器２６を閉じて誘導発電機２２と電力系統５０等と接続することにより、誘導発電機２２に流入する始動電流を抑えることができる。
【符号の説明】
【００５４】
１０、１０Ａ、１０Ｂ  発電装置
１２    循環流路
１４    蒸発器
１６    膨張機
１８    凝縮器
２０    循環用ポンプ
２２    誘導発電機
２４    回転数検出器
２６    開閉器
３０    コントローラ
３４１  開閉制御部（制御部）
３４２  吐出量制御部
３４    演算制御部
４０    バイパス流路
５０    電力系統（電路）
５２    接続電路
【図１】
2014171350.tif 000003
【図２】
2014171350.tif 000004
【図３】
2014171350.tif 000005
【図４】
2014171350.tif 000006
【図５】
2014171350.tif 000007